(57)【要約】【課題】コードリールを設けても、コンパクトにできる電気掃除機を提供する。【解決手段】第一方向に長い縦型の掃除機本体４を備える電気掃除機において、掃除機本体４は、塵埃を集塵する集塵部４３と、電動送風機４１０が電動送風機室４１１内に配置されている電動送風機部４１と、コードリール４２０がコードリール室４２１内に配されているコードリール部４２と、掃除機本体４を操作するためのハンドル部４６とをこの順で第一方向に沿って有する。【選択図】図４
2020081496.tif 000002
【特許請求の範囲】
【請求項１】
第一方向に長い縦型の掃除機本体を備える電気掃除機において、
前記掃除機本体は、
塵埃を集塵する集塵部と、
電動送風機が電動送風機室内に配置されている電動送風機部と、
コードリールがコードリール室内に配されているコードリール部と、
前記掃除機本体を操作するためのハンドル部と
をこの順で前記第一方向に沿って有する
電気掃除機。
【請求項２】
前記コードリールは、電源コードを巻き取る巻取軸が前記第一方向と交差する状態で、配されている
請求項１に記載の電気掃除機。
【請求項３】
前記電動送風機は、その回転軸が前記第一方向と平行な状態で配され、
前記第一方向の前記ハンドル部側から前記掃除機本体をみると、前記コードリールの巻取軸は前記電動送風機の領域内を通過している
請求項１又は２に記載の電気掃除機。
【請求項４】
前記電動送風機部は、前記集塵部側から前記電動送風機室内に空気を取り入れるための吸気開口と、前記電動送風機室内の空気を前記コードリール室側に排出するための内部排気開口とを有し、
前記掃除機本体は、前記内部排気開口から前記コードリール室に排出された空気を外部に排出させるための外部排気開口を有する
請求項１〜３の何れか１項に記載の電気掃除機。
【請求項５】
前記内部排気開口は、前記第一方向において前記吸気開口と反対側に形成された第１内部排気開口を含み、
前記第１内部排気開口は前記コードリールに対向し、
前記第１内部排気開口から排出された空気は前記コードリール室を通過して前記外部排気開口から排出される
請求項４に記載の電気掃除機。
【請求項６】
前記内部排気開口は、前記電動送風機室の前記電動送風機の径方向側に形成された第２内部排気開口を含み、
前記掃除機本体は、少なくとも前記第２内部排気開口と前記コードリール室とを前記コードリールの巻取軸が延伸する方向の外側から覆うカバーを備え、
前記第２内部排気開口から排出された空気は、前記カバーと前記コードリール室との間を通過して前記外部排気開口から排出される
請求項４又は５に記載の電気掃除機。
【請求項７】
前記カバーは、前記巻取軸が延伸する方向の両側にあり、
前記外部排気開口は一方のカバーにあり、
他方のカバーと前記コードリール室との間を通過して外部排気開口から排出される空気は、前記コードリール室を通過して前記一方のカバーに形成されている外部排気開口へと向かう
請求項６に記載の電気掃除機。
【請求項８】
電気掃除機と連通する吸込具と、
前記吸込具から前記集塵部までの吸込風路内に設けられ且つ当該吸込風路内を通過する塵埃を検知する検知センサと、
前記検知センサによる検知結果に応じて発光する発光ユニットと
を備え、
前記発光ユニットは、前記掃除機本体において前記コードリールの巻取軸の延伸する側に設けられている
請求項１〜７の何れか１項に記載の電気掃除機。
【発明の詳細な説明】
【技術分野】
【０００１】
本発明は、コードリールを備える縦型の電気掃除機に関する。
【背景技術】
【０００２】
本技術分野の電気掃除機として、例えば特許文献１に、「吸込口体と、前記吸込口体に連結される掃除機本体とを備え、前記掃除機本体には集塵部、電動送風機、及びコードリールが配置される縦型電気掃除機において、前記掃除機本体は上部にハンドルを備え、前記集塵部は前記掃除機本体の下部の集塵部取付部に着脱可能に装着され、装着時、前記吸込口体と前記掃除機本体との間に形成された第１吸気経路を通じて前記吸込口体に連通し、前記コードリールは前記電動送風機の背後に配置され、前記コードリールの回転軸は前記電動送風機の前後方向に延びるとともに前記電動送風機の軸線と略直交し、前記掃除機本体の上部には先端に吸込管を備えた吸込ホースが配置され、前記吸込ホースは、前記電動送風機と前記コードリールにより形成される隙間を通る第２吸気経路を通じて前記集塵部に連通することを特徴とする縦型電気掃除機」が開示されている。
【先行技術文献】
【特許文献】
【０００３】
【特許文献１】特許第５３０２３８３号公報
【発明の概要】
【発明が解決しようとする課題】
【０００４】
上記特許発明では、掃除機本体において、電動送風機の背後にコードリールを設ける構造としているため、電動送風機とコードリールとの並び方向の厚みが大きくなるといった問題がある。
【０００５】
本発明は、このような事情に鑑みてなされたものであって、コードリールを設けても、コンパクトにできる電気掃除機を提供することである。
【課題を解決するための手段】
【０００６】
上記課題を解決するために、本発明に係る電気掃除機は、第一方向に長い縦型の掃除機本体を備える電気掃除機において、前記掃除機本体は、塵埃を集塵する集塵部と、電動送風機が電動送風機室内に配置されている電動送風機部と、コードリールがコードリール室内に配されているコードリール部と、前記掃除機本体を操作するためのハンドル部とをこの順で前記第一方向に沿って有する電気掃除機。
【発明の効果】
【０００７】
本発明によれば、コードリールを設けても、コンパクトにできる。
【図面の簡単な説明】
【０００８】
【図１】実施形態に係る電気掃除機ユニットを示す斜視図である。
【図２】（ａ）は掃除機本体を左側から見た図であり、（ｂ）は掃除機本体を右側から見た図である。
【図３】掃除機本体の分解状態を示す斜視図であり、（ａ）は左側から見た図であり、（ｂ）は右側から見た図である。
【図４】掃除機本体の縦断面を表側から見た断面図である。
【図５】掃掃除機本体の分解状態を左側から見た斜視図である。
【図６】掃掃除機本体の分解状態を右側から見た斜視図である。
【図７】（ａ）は右本体ケースを左側から見た斜視図であり、（ｂ）は左本体ケースを右側から見た斜視図である。
【図８】（ａ）は右カバーを外した状態を右側から見た拡大斜視図であり、（ｂ）は左カバーを外した状態を左側から見た拡大斜視図である。
【図９】（ａ）は右ケースを左側から見た斜視図であり、（ｂ）は左ケースを右側から見た斜視図である。
【図１０】発光ユニットの分解状態を示す図であり、（ａ）は左側から見た斜視図であり、（ｂ）は右側から見た斜視図である。
【図１１】（ａ）は電動送風機の分解斜視図であり、（ｂ）はパイプ接続具の斜視図である。
【図１２】コードリールの斜視図であり、（ａ）は左側から見た図であり、（ｂ）は右側から見た図である。
【図１３】掃除機本体内を通過する空気の流れを説明する図であり、（ａ）は左側から見た断面斜視図であり、（ｂ）は右側から見た断面斜視図である。
【図１４】補助集塵具を示す図であり、（ａ）は全体図であり、（ｂ）は分解図である。
【図１５】位置決めユニットを説明する図である。
【図１６】モップ体の取り付け部の断面図である。
【発明を実施するための形態】
【０００９】
＜概要＞
一態様に係る電気掃除機は、第一方向に長い縦型の掃除機本体を備える電気掃除機において、前記掃除機本体は、塵埃を集塵する集塵部と、電動送風機が電動送風機室内に配置されている電動送風機部と、コードリールがコードリール室内に配されているコードリール部と、前記掃除機本体を操作するためのハンドル部とをこの順で前記第一方向に沿って有する。これにより、コードリールを設けても、コンパクトにできる。
別態様に係る電気掃除機において、前記コードリールは、電源コードを巻き取る巻取軸が前記第一方向と交差する状態で、配されている。これにより、掃除機本体の第２の方向の寸法を、巻取軸が第一方向と平行な場合に比べて小さくできる。
別態様に係る電気掃除機において、前記電動送風機は、その回転軸が前記第一方向と平行な状態で配され、前記第一方向の前記ハンドル部側から前記掃除機本体をみると、前記コードリールの巻取軸は前記電動送風機の領域内を通過している。これにより、掃除機本体における第一方向と巻取軸との交差する方向の寸法を小さくできる。
【００１０】
別態様に係る電気掃除機において、前記電動送風機部は、前記集塵部側から前記電動送風機室内に空気を取り入れるための吸気開口と、前記電動送風機室内の空気を前記コードリール室側に排出するための内部排気開口とを有し、前記掃除機本体は、前記内部排気開口から前記コードリール室に排出された空気を外部に排出させるための外部排気開口を有する。これにより、コードリール室内を通過する空気によりコードリールが冷却される。
別態様に係る電気掃除機において、前記内部排気開口は、前記第一方向において前記吸気開口と反対側に形成された第１内部排気開口を含み、前記第１内部排気開口は前記コードリールに対向し、前記第１内部排気開口から排出された空気は前記コードリール室を通過して前記外部排気開口から排出される。これにより、確実に効率よく空気がコードリール室を通過する。
【００１１】
別態様に係る電気掃除機において、前記内部排気開口は、前記電動送風機室の前記電動送風機の径方向側に形成された第２内部排気開口を含み、前記掃除機本体は、少なくとも前記第２内部排気開口と前記コードリール室とを前記コードリールの巻取軸が延伸する方向の外側から覆うカバーを備え、前記第２内部排気開口から排出された空気は、前記カバーと前記コードリール室との間を通過して前記外部排気開口から排出される。これにより、例えば、カバーとコードリール室と間に回路ユニットを配置した場合、当該回路ユニットを冷却できる。
別態様に係る電気掃除機において、前記カバーは、前記巻取軸が延伸する方向の両側にあり、前記外部排気開口は一方のカバーにあり、他方のカバーと前記コードリール室との間を通過して外部排気開口から排出される空気は、前記コードリール室を通過して前記一方のカバーに形成されている外部排気開口へと向かう。これによりコードリール室を通過する空気の流路が複数となり、効率よくコードリールを冷却できる。
別態様に係る電気掃除機において、電気掃除機と連通する吸込具と、前記吸込具から前記集塵部までの吸込風路内に設けられ且つ当該吸込風路内を通過する塵埃を検知する検知センサと、前記検知センサによる検知結果に応じて発光する発光ユニットとを備え、前記発光ユニットは、前記掃除機本体において前記コードリールの巻取軸の延伸する側に設けられている。これにより、使用者が塵埃の吸込み状況を把握することができる。
【００１２】
＜実施形態＞
１．電気掃除機ユニット
図１を用いて説明する。
電気掃除機ユニットＡは電気掃除機１及び掃除機支持装置６を備える。
電気掃除機１は、吸込具２、接続パイプ３、掃除機本体４を第一方向に沿ってこの順で備える、いわゆるスティック型（縦型）の掃除機である。電気掃除機１は、吸込具２から接続パイプ３を経由して掃除機本体４内の集塵部までの吸込風路を有し、当該吸込風路を介して塵埃を集塵する。なお、第１一方向は、例えば、図１中のＸ方向である。
電気掃除機１は、掃除機本体４内にコードリール（４２０）を備え、図外の電源コンセントに電源コード４２９のプラグを差し込んで使用される。電気掃除機１は、使用しない際には、例えば掃除機支持装置６に立てかけられて支持される。
ここで、接続パイプ３の延伸方向（図中の「Ｘ」である）を「筒軸方向」とし、筒軸方向における吸込具２が存在する側を「一端側」とし、掃除機本体４が存在する側を「他端側」とする。吸込具２のヘッド部２１の延伸方向（図中の「Ｙ」である）を「左右方向」とし、当該延伸方向は筒軸方向と直交する。また、左右方向と直交し且つ筒軸方向を含む仮想面において筒軸方向の直交する方向（図中の「Ｚ」である）を「表裏方向」とする。
通常、床面を清掃する際には、吸込具２のヘッド部２１を前後方向に移動させるため、ヘッド部２１が位置する側を前側又は表側とし、操作者が位置する側を後側又は裏側とする。また、筒軸方向が上下方向と一致する場合、表裏方向は前後方向と一致することから、表裏方向を、筒軸方向が上下方向と一致しない場合も「前後方向」とする場合もある。
掃除機支持装置６は、接続パイプ３が上下方向と平行なる状態又はこれに近い状態で、電気掃除機１を着脱可能に支持する。掃除機支持装置６は、電気掃除機１の吸込具２を載置する載置台７と、載置台７に載置された電気掃除機１を裏側から支持する支柱８とを備える。ここでは、補助集塵具９が支柱８に出し入れ可能に設けられている。
以下、電気掃除機１及び掃除機支持装置６について説明する。
【００１３】
２．電気掃除機
【００１４】
（１）掃除機本体
掃除機本体４は、図２に示すように、全体形状としてＸ方向に長い形状をし、一端側に接続パイプ３が接続される。使用者は、掃除機本体４の他端側のハンドル部４６を把持して、電気掃除機１を操作する。
掃除機本体４は、図２に示す筐体４０内に電気掃除機１の機能部品を収容する。具体的には、図３に示すように、筐体４０は、本体ケース（右本体ケース４０１、左本体ケース４０３）４００、集塵カバー４０５、ハンドルカバー４０７等から構成されている。
本体ケース４００内には、電動送風機４１０、コードリール４２０、集塵パック（図示省略）等が収容され、パイプ接続具４４０、回路ユニット４５０（図６参照）等が本体ケース４００に取り付けられている。
なお、筐体４０は、図４に示すように、電動送風機４１０を収容する電動送風機室４１１、コードリール４２０を収容するコードリール室４２１、集塵パックを収容する集塵室４３１や回路ユニット４５０を収容する回路ユニット室４５１を有する。
換言すると、掃除機本体４は、図２に示すように、電動送風機４１０が電動送風機室内に配されている電動送風機部４１と、コードリール４２０がコードリール室に配されているコードリール部４２、塵埃を集塵する集塵部４３、掃除機本体４を操作するハンドル部４６をＸ方向にこの順に沿って備える。
本実施形態の掃除機本体４は、さらに、接続パイプ３と着脱自在に接続するパイプ接続部４４や、回路ユニット４５０が回路ユニット室４５１に配されている回路部４５を備える。なお、図２において、電動送風機部４１、コードリール部４２、集塵部４３及び回路部４５は、筐体４０を構成する部品と区別するために、引き出し線を矢印付き破線としている。
以下、各部について説明する。
【００１５】
（１−１）筐体
筐体４０は、図３に示すように、本体ケース４００、集塵カバー４０５、ハンドルカバー４０７の他、本体ケース４００に取り付けられる右カバー４０２、左カバー４０４を備える。ここでは、右本体ケース４０１と左本体ケース４０３（本体ケース４００）は組立状態で固定筒体４０９により固定される。
図４に示すように、本体ケース４００におけるＸ方向の中央から一端までの部分は、Ｘ方向に延伸する筒軸を有する筒状部４００ａとなっている。ここでの筒状部４００ａは円筒状をしている。
本体ケース４００におけるＸ方向の中央から他端側までの部分は、Ｙ方向に延伸する中心軸を有する盤状部４００ｂとなっている。ここでの盤状部４００ｂは円盤状をしている。
なお、筒状部４００ａの筒軸と盤状部４００ｂの中心軸は、前側から見ると交差している。ここでは、筒軸と中心軸とは直交している。
図４に示すように、筒状部４００ａで集塵室４３１と電動送風機室４１１とが構成され、盤状部４００ｂでコードリール室４２１が構成される。集塵部４３は図外の集塵パックと集塵室４３１とで構成され、電動送風機部４１は電動送風機４１０と電動送風機室４１１とで構成され、コードリール部４２はコードリール４２０とコードリール室４２１とで構成され、回路部４５は回路ユニット４５０と回路ユニット室４５１とで構成される。
【００１６】
（１−１−１）本体ケース
主に、図４及び図７を用いて説明する。
本体ケース４００は、図４に示すように、筒状部４００ａのＸ方向の一端にパイプ接続具４４０を固定するための固定部（他の固定部と区別するために「パイプ用固定部」とする）４００ｃを有する。
パイプ用固定部４００ｃは、図７に示すように、右本体ケース４０１の半筒状部４０１ａと左本体ケース４０３の半筒状部４０３ａの内面から本体ケース４００の筒軸に向かって延伸してパイプ接続具４４０の外周面に当接又は近接する複数の固定板部４０１ｃ，４０３ｃ（他の固定板部と区別するために「パイプ固定板部」とする）と、右本体ケース４０１と左本体ケース４０３のＸ方向の一端の端面からＸ方向の外方へ張り出してパイプ接続具４４０の外周面に当接する固定半筒部４０１ｄ，４０３ｄとから構成される。
本体ケース４００のパイプ用固定部４００ｃとパイプ接続具４４０とでパイプ接続部４４が構成される（図４参照）。
【００１７】
本体ケース４００は、パイプ用固定部４００ｃのＸ方向の他端側に、集塵パック（図示省略）を出し入れ可能にするための出し入れ口４００ｄ（図２参照）を有している。なお、出し入れ口は集塵カバー４０５により覆われる（図２参照）。出し入れ口４００ｄは、図７に示すように、右本体ケース４０１の半筒状部４０１ａと左本体ケース４０３の半筒状部４０３ａの前側に形成された欠け部４０１ｅ，４０３ｅにより構成される。
本体ケース４００は、集塵カバー４０５を付け外し可能に取り付ける取付部（他の取付部と区別するため、集塵カバー取付部とする）を有する。集塵カバー取付部は、右本体ケース４０１と左本体ケース４０３の欠け部４０１ｅ，４０３ｅに対向する面に形成された貫通孔により構成され、当該貫通孔に集塵カバー４０５のＸ方向に出退する出退片４０５ａ（図５及び図６参照）が挿抜自在に挿入される。
【００１８】
本体ケース４００は、図４に示すように、出し入れ口４００ｄのＸ方向の他端側に、電動送風機４１０を固定するための固定部（他の固定部と区別するために「送風機用固定部」とする）４００ｅを有する。
送風機用固定部４００ｅは、図７に示すように、右本体ケース４０１の半筒状部４０１ａと左本体ケース４０３の半筒状部４０３ａの内面から本体ケース４００の筒軸に向かって延伸して電動送風機４１０の外周面に当接又は近接する複数の固定板部４０１ｆ，４０３ｆ（他の固定板部と区別するために「電動送風機固定板部」とする）から構成される。
複数の電動送風機固定板部４０１ｆ，４０３ｆ間には、図５及び図６に示すように、電動送風機４１０に取り付けられた位置決め具４１２，４１３が嵌る。位置決め具４１２，４１３は、電動送風機４１０の送風ファン４１４やモータ４１５を支持する。なお、出し入れ口４００ｄと電動送風機４１０との間にはフィルタ４３３が設けられている。
電動送風機固定板部４０１ｆ，４０３ｆは、本体ケース４００の筒軸を含む領域（電動送風機４１０が配される領域）が欠けており、この欠けた開口部分が、集塵室４３１から電動送風機室４１１に空気を取り入れるための吸気開口４００ｊを構成する。なお、開口部分が電動送風機４１０に密着している場合でも、電動送風機４１０の送風ファン４１４を介して、集塵室４３１から電動送風機室４１１内に空気が取り入れる。
【００１９】
本体ケース４００は、図４に示すように、電動送風機４１０のＸ方向の他端側、つまり、盤状部４００ｂに、コードリール４２０を固定(支持）するための固定部（他の固定部と区別するために「コードリール用固定部」とする）４００ｈを有する。
コードリール用固定部４００ｈは、図７に示すように、右本体ケース４０１の半盤状部４０１ｂにおける底部分４０１ｇに形成された右フレーム支持部４０１ｈと、左本体ケース４０３の半盤状部４０３ｂにおける底部分４０３ｇに形成された左フレーム支持部４０３ｈとから構成される。
右フレーム支持部４０１ｈはボス部分の貫通孔により構成され、当該貫通孔にコードリール４２０のフレーム４２３の固定軸部４２８（図１２の（ｂ）参照）が嵌合する。左フレーム支持部４０３ｈは、半盤状部４０３ｂの底部分４０３ｇの周方向に間隔をおいた複数個（例えば３個）の貫通孔により構成され、当該貫通孔にコードリール４２０のフレーム４２３の有底筒状部４２６の凸部分４２６ａ（図１２の（ａ）参照）が嵌合する。
コードリール４２０は、右本体ケース４０１と左本体ケース４０３とによりＹ方向から挟まれることで、本体ケース４００に支持される。右本体ケース４０１と左本体ケース４０３とが組み立てられた状態において、右本体ケース４０１の半盤状部４０１ｂと左本体ケース４０３の半盤状部４０３ｂとで囲まれた空間がコードリール室４２１となる。
【００２０】
本体ケース４００は、図４に示すように、ハンドルカバー４０７とでハンドル部４６を構成するハンドル構成部４００ｉを有する。
ハンドル構成部４００ｉは、図７に示すように、右本体ケース４０１の半盤状部４０１ｂの他端側からＸ方向の外方に張り出して、当該他端部の前部領域と後部領域とを連結する連結部４０１ｊと、左本体ケース４０３の半盤状部４０３ｂの他端側からＸ方向の外方に張り出して、当該他端部の前部領域と後部領域とを連結する連結部４０３ｊとで構成される。ここでの連結部４０１ｊ，４０３ｊは、「Ｕ」字状又は「Ｌ」字状をしている。
【００２１】
（１−１−１−１）右本体ケース
主に図８の（ａ）を用いて説明する。
右本体ケース４０１は、半盤状部４０１ｂの底部分４０１ｇの外面に、回路ユニット４５０（図６参照）を支持固定する。具体的には、右本体ケース４０１は、回路ユニット４５０の回路基板４５２を底部分４０１ｇ側から支持する支持部４０１ｋと、支持部４０１ｋに支持された回路基板４５２を固定する固定部（他の固定部と区別するために「基板固定部」とする）４０１ｍとを有する。ここでは、支持部４０１ｋは底部分４０１ｇからＹ方向の外方へ突出する凸部分により構成され、基板固定部４０１ｍは回路基板４５２の周縁の複数個所に係合する係合片により構成される。なお、回路基板４５２の固定には、さらに、ねじによる固定を追加してもよいし、係合方式を螺合方式に置き換えてもよい。
【００２２】
右本体ケース４０１は、右カバー４０２を固定する固定具（他の固定部と区別するために「右カバー固定部」とする）４０１ｎを有する。右カバー固定部４０１ｎは、図９の（ａ）に示す右カバー４０２の係合片４０２ａが係合する貫通孔や凹みにより構成される。ここでは、右カバー固定部４０１ｎは、Ｘ方向の一端側と、半盤状部４０１ｂの底部分４０１ｇの外周とに形成された複数個の貫通孔により構成される。
【００２３】
右本体ケース４０１は、本体ケース４００内の電動送風機室４１１に取り入れた空気を本体ケース４００の外部へと排出するための第２内部排気開口４０１ｐを有する。ここでの第２内部排気開口４０１ｐは、電動送風機室４１１を構成する周壁の径方向（Ｙ方向の右側）に形成されている。
右本体ケース４０１は、電動送風機室４１１の第１内部排気開口４００ｋ（図４又は図１３参照）からコードリール室４２１内に排出された空気を本体ケース４００の外部へと排出する第４内部排気開口４０１ｑ，４０１ｒを有する。第４内部排気開口４０１ｑ，４０１ｒは底部分４０１ｇに複数設けられている。
第４内部排気開口４０１ｑは、回路ユニット４５０と対向する部位に形成されている。これにより、回路ユニット４５０を冷却できる。第４内部排気開口４０１ｒは、回路ユニット４５０と対向しない部位に形成されている。これにより、コードリール室４２１から空気がスムーズに排出される。
【００２４】
（１−１−１−２）左本体ケース
主に、図８の（ｂ）を用いて説明する。
左本体ケース４０３は、左カバー４０４を固定する固定具（他の固定部と区別するために「左カバー固定部」とする）４０３ｎを有する。左カバー固定部４０３ｎは、図９の（ｂ）に示す左カバー４０４の係合片４０４ａが係合する貫通孔や凹みにより構成される。ここでは、左カバー固定部４０３ｎは、Ｘ方向の一端側と、半盤状部４０３ｂの底部分４０３ｇの外周とに形成された複数個の貫通孔により構成される。
【００２５】
左本体ケース４０３は、本体ケース４００内の電動送風機室４１１に取り入れた空気を本体ケース４００の外部へと排出するための第３内部排気開口４０３ｐを有する。ここでの第３内部排気開口４０３ｐは、電動送風機室４１１を構成する周壁の径方向（Ｙ方向の左側）に形成されている。
左本体ケース４０３は、電動送風機室４１１の第３内部排気開口４０３ｐから左本体ケース４０３と左カバー４０４との間に排出された空気をコードリール室４２１内に取り入れるための内部吸気開口４０３ｑを有する。内部吸気開口４０３ｑは底部分４０３ｇに複数設けられている。これにより、内部吸気開口４０３ｑを介して空気がスムーズにコードリール室４２１に取り入れられる。
【００２６】
（１−１−２）集塵カバー
図５及び図６を用いて説明する。
集塵カバー４０５は、本体ケース４００の出し入れ口４００ｄを覆う状態で、本体ケース４００に取り付けられる。集塵カバー４０５はＸ方向に長い長尺状をしている。集塵カバーは、本体ケース４００の筒状部４００ａの外観形状に対応して、その横断面が円弧状をしている。
集塵カバー４０５は、本体ケース４００における出し入れ口４００ｄ（図２参照）に面する部位の貫通孔に係合する係合片（図示省略）をＸ方向の他端側に有する。
集塵カバー４０５は、上述のようにＸ方向の一端側に出退可能な出退片４０５ａを有する。出退片４０５ａは、本体ケース４００の集塵カバー取付部である貫通孔に挿入（係合）する。
【００２７】
（１−１−３）ハンドルカバー
図５及び図６を用いて説明する。
ハンドルカバー４０７は、Ｘ方向に延伸する第１延伸部４０７ａと、第１延伸部４０７ａの他端側から斜め後方に延伸する第２延伸部４０７ｂとを有する。つまり、ハンドルカバー４０７は、長辺がＸ方向に延伸する「Ｌ」字状をしている。
ハンドルカバー４０７は、本体ケース４００のハンドル構成部４００ｉ（図４参照）との間に空間が存在するハンドル構成部４００ｉを覆う。ハンドルカバーと４０７と本体ケース４００との間の空間に、電気掃除機１の電源スイッチ、吸引力の調整スイッチ等の電気掃除機１の電気的機能を操作する操作ユニット４０８が配される。ハンドルカバー４０７は、操作ユニット４０８のスイッチ用の貫通孔を有する。なお、図５及び図６では、操作ユニット４０８がハンドルカバー４０７に取り付けられた状態を示している。
【００２８】
（１−１−４）右カバー
主に、図９の（ａ）を用いて説明する。
右カバー４０２は、右本体ケース４０１の半筒状部４０１ａの他端側と半盤状部４０１ｂとに跨る状態で、右本体ケース４０１に固定される。右カバー４０２は、半筒状部４０１ａにおける他端部のＹ方向の右側と対向する筒対向部４０２ｂと、半盤状部４０１ｂと対向する盤対向部４０２ｃとを有する。
【００２９】
筒対向部４０２ｂは、平坦部分４０２ｄと、平坦部分４０２ｄの前後両端から右本体ケース４０１側に張り出す張出部分４０２ｅとを有する。これにより、平坦部分４０２ｄと右本体ケース４０１との間に隙間が生じ、本体ケース４００（右本体ケース４０１）の第２内部排気開口４０１ｐ（図８の（ａ）参照）から排出された空気がスムーズに盤対向部４０２ｃ側へと向かう。なお、平坦部分４０２ｄと右本体ケース４０１との間における隙間は第２流路室を構成する。
平坦部分４０２ｄにはＸ方向に沿って延伸する右リブ４０２ｆを複数有する。これにより、空気がスムーズに盤対向部４０２ｃへと向かう。
【００３０】
盤対向部４０２ｃはＹ方向から見ると円形状をしている。盤対向部４０２ｃは、右側外方へとドーム状に膨出する膨出部分４０２ｇと、膨出部分４０２ｇから右本体ケース４０１側に張り出す張出部分４０２ｈとを有する。
膨出部分４０２ｇは右側外方に向かって段付き状に膨出し、膨出先端は平坦状となっている。これにより、右本体ケース４０１との間に回路ユニット４５０を収容する空間を確保できると共にＹ方向の寸法が大きくなるのを防止できる。
張出部分４０２ｈは、膨出部分４０２ｇにおける周縁であって筒対向部４０２ｂの他端部と連結しない領域に設けられ、筒対向部４０２ｂの他端部で筒対向部４０２ｂの張出部分４０２ｅと連結する。これにより、右カバー４０２の張出部分４０２ｅ，４０２ｈの端面が右本体ケース４０１に当接し、内部の空気漏れを抑制できる。
【００３１】
右カバー４０２は、筐体４０（掃除機本体４）の外部へと空気を排出するための外部排気開口４０２ｊを有する。外部排気開口４０２ｊは環状に近い形状に形成されている。これにより、右カバー４０２（盤対向部４０２ｃ）と本体ケース４００との間に取り入れられた空気を偏りなく排出できる。
外部排気開口４０２ｊは、筒対向部４０２ｂと盤対向部４０２ｃとの連結部分を除いて周方向に沿って形成されている。つまり、Ｙ方向から見ると、外部排気開口４０２ｊは「Ｃ」字状をしている。これにより、本体ケース４００の第２内部排気開口４０１ｐ（図８の（ａ）参照）から排出され、外部排気開口４０２ｊに向かう空気が回路ユニット４５０を通過又はその周辺を通過することとなり、回路ユニット４５０を効果的に冷却できる。
外部排気開口４０２ｊは、膨出部分４０２ｇにおける張出部分４０２ｈとの連結部分に近い部位に設けられている。これにより、外部排気開口４０２ｊを大きく確保できる。
外部排気開口４０２ｊが形成されている部位は、周方向に間隔をおいて形成されたリブ４０２ｋにより、膨出部分４０２ｇと張出部分４０２ｈとを補強・連結している。
【００３２】
（１−１−５）左カバー関係
左カバー４０４は、主に、左本体ケース４０３の第３内部排気開口４０３ｐから排出された空気をコードリール室４２１に供給する機能を有する。
ここでの左カバー４０４には、図５に示すように、掃除中の塵埃を吸い込んでいる状態を使用者に報知する発光ユニット４６０が設けられている。
発光ユニット４６０は、図５に示すように、ＬＥＤモジュール４６１と、ＬＥＤモジュール４６１からの光を導光させる導光リング４６３と、導光リング４６３を左カバー４０４に固定する固定蓋４６５とを備える。
【００３３】
（１−１−５−１）左カバー
図９の（ｂ）を用いて説明する。
左カバー４０４は、左本体ケース４０３の半筒状部４０３ａの他端側と半盤状部４０３ｂとに跨る状態で、左本体ケース４０３に固定される。左カバー４０４は、半筒状部４０３ａにおける他端部のＹ方向の左側と対向する筒対向部４０４ｂと、半盤状部４０３ｂと対向する盤対向部４０４ｃとを有する。
【００３４】
筒対向部４０４ｂは、平坦部分４０４ｄと、平坦部分４０４ｄの前後両端から左本体ケース４０３側に張り出す張出部分４０４ｅとを有する。これにより、平坦部分４０４ｄと左本体ケース４０３との間に隙間が生じ、本体ケース（左本体ケース４０３）の第３内部排気開口４０３ｐ（図８の（ｂ）参照）から排出された空気がスムーズに盤対向部４０４ｃ側へと向かう。なお、平坦部分４０４ｄと左本体ケース４０３との間における隙間は第３流路室を構成する。
平坦部分４０４ｄにはＸ方向に沿って延伸する左リブ４０４ｆを複数有する。これにより、空気がスムーズに盤対向部４０４ｃ側へと向かう。
【００３５】
盤対向部４０４ｃはＹ方向から見ると円形状をしている。盤対向部４０４ｃは、円形状の平坦部分４０４ｇと、平坦部分４０４ｇから左本体ケース４０３側に張り出す張出部分４０４ｈとを有する。左カバー４０４が平坦部分４０４ｇを有することにより、Ｙ方向の寸法を小さくできる。
張出部分４０４ｈは、平坦部分４０４ｇにおける周縁であって筒対向部４０４ｂの他端部と連結しない領域に設けられ、筒対向部４０４ｂの他端部で筒対向部４０４ｂの張出部分４０４ｅと連結する。これにより、左カバー４０４の張出部分４０４ｅ，４０４ｈの端面が左本体ケース４０３に当接し、内部の空気漏れを抑制できる。
【００３６】
左カバー４０４は、図１０の（ａ）に示すように、発光ユニット４６０を固定する固定部（他の固定部と区別するために「発光ユニット用固定部」とする）４０４ｊと、発光ユニット４６０を位置決めする位置決め部４０４ｋ，４０４ｍとを有する。
発光ユニット４６０の固定には、図外のねじが利用され、左カバー４０４の盤対向部４０４ｃの平坦部分４０４ｇ（図１０の（ｂ）参照）のねじ用の貫通孔が発光ユニット用固定部４０４ｊとして複数個設けられている。
位置決め部４０４ｋは平坦部分４０４ｇに形成された環状のリブにより構成されている。位置決め部４０４ｍは左側に突出するボスに形成された貫通孔より構成されている。
【００３７】
（１−１−５−２）発光ユニット
発光ユニット４６０は、検知センサによる検知結果に応じて発光する。
上述のように、発光ユニット４６０は、図１０の（ａ）にも示すように、ＬＥＤモジュール４６１、導光リング４６３及び固定蓋４６５を備える。つまり、発光ユニット４６０は、掃除機本体４においてコードリール４２０の回転軸の延伸する側、具体的には左側に設けられている。
ＬＥＤモジュール４６１は、円環状の実装基板４６６に複数個のＬＥＤ４６７が実装されてなり、例えばテープＬＥＤである。複数個のＬＥＤ４６７は、発光色が異なる２種類あり、埃センサユニット４４５（図１１の（ｂ）参照）の出力信号に合わせて発光する。
導光リング４６３は、円環状に配されたＬＥＤ４６７と対向する状態で配され、ＬＥＤ４６７から発せられて入射した光をリング状に導光させて出射する。
固定蓋４６５は、図１０に示すように、円板状部４６５ａを有する。固定蓋４６５は、円板状部４６５ａの周縁の内側部位から左本体ケース４０３側に延伸して、左本体ケース４０３の位置決め部４０４ｋと嵌合する筒部４６５ｂを有している。固定蓋４６５は、左カバー４０４側に突出して、左カバー４０４の位置決め部４０４ｍであるボス孔に嵌合するボス部４６５ｃを円板状部４６５ａの中央に有している。固定蓋４６５は、左カバー４０４の発光ユニット用固定部４０４ｊに固定される被固定部４６５ｄを有する。被固定部４６５ｄは、発光ユニット用固定部４０４ｊである貫通孔を挿通するねじが螺合するねじ孔であり、左カバー４０４側に突出するボスに形成されている。
なお、導光リング４６３は、その内周縁が固定蓋４６５の周縁部に当接することで、左カバー４０４に固定される。
【００３８】
（１−２）電動送風機
電動送風機４１０は、図１１の（ａ）に示すように、Ｙ方向の一端に配された送風ファン４１４と、Ｙ方向の他端に配されたモータ４１５とを備える。送風ファン４１４の回転軸とモータ４１５の回転軸とは同一線上にあり、Ｘ方向に延伸する。
電動送風機４１０の両端には位置決め具４１２，４１３が設けられ、位置決め具４１２，４１３が右本体ケース４０１と左本体ケース４０３の電動送風機固定板部４０１ｆ、４０３ｆ間に配されて、支持・固定される。なお、位置決め具４１２，４１３は防振機能を有している。
電動送風機４１０の上流側には、電動送風機４１０側に塵埃が侵入するのを防止するためのフィルタ４３３が設けられている。これにより、電動送風機４１０よりも下流側に位置する空間（例えば、コードリール室４２１等である）に塵埃が入り込むのを防止できる。
【００３９】
（１−３）コードリール
主に図１２を用いて説明する。
コードリール４２０は、電源コードを巻き取るドラム４２２と、ドラム４２２を回転自在に支持するフレーム４２３と、ドラム４２２を電源コードの巻き取り方向に付勢するばね（図示省略）と、電源コードを引き出す際のドラム４２２の巻き取り方向への回転を規制するストッパー４２４と、筐体４０の外部に露出する操作部の操作によりストッパー機能を解除する解除部（図示省略）とを備える。なお、ドラム４２２の回転軸は、本発明における「巻取軸」の一例に相当する。
フレーム４２３は、左側の有底筒状部４２６と、右側の板状部４２７と、固定軸部４２８とを備える。有底筒状部４２６は、Ｙ方向の右側端部が底部分で塞がれ、右側の開口端部からＹ方向の左側に張り出す凸部分４２６ａを有する。板状部４２７は矩形状をしている。固定軸部４２８は、有底筒状部４２６と板状部４２７とに支持され、ドラム４２２を回転自在に支持する。
なお、有底筒状部４２６の凸部分４２６ａは左本体ケース４０３の左フレーム支持部４０３ｈを構成する貫通孔に嵌合し、固定軸部４２８の右側端は右本体ケース４０１の右フレーム支持部４０１ｈに嵌合する。
【００４０】
（１−４）パイプ接続具
主に図１１の（ｂ）を用いて説明する。
パイプ接続具４４０は、本体ケース４００からＸ方向の一端側に筒状の突出するパイプ部４４２と、本体ケース４００に固定され且つ内部がパイプ部４４２と連通する被固定部４４３と、パイプ部４４２に設けられ且つ接続パイプ３側に電力を供給するための端子部４４４と、吸込風路内を被固定部４４３の内部を通過する塵埃を検知する埃センサユニット４４５とを有する。ここでは、埃センサユニット４４５は、吸込風路内の一例として、被固定部４４３に設けられている。なお、埃センサユニット４４５は、埃センサの一例に相当する。
【００４１】
パイプ部４４２には接続パイプ３の他端部が取り外し可能に取り付けられ、取り外しの際の操作部４４６が設けられている。なお、パイプ部４４２に接続パイプ３が接続されると、接続パイプ３と端子部４４４とが電気的に接続される。
【００４２】
被固定部４４３は段付き状の筒状をしている。被固定部４４３は、断面形状が非円形状であって上流側に位置する被円形部分４４３ａと、断面形状が略円形状であって下流側に位置する円形部分４４３ｂと、円形部分４４３ｂのＸ方向の両端から径方向の外方へ板状に張り出す張出板部分４４３ｃとを備える。
円形部分４４３ｂに埃センサユニット４４５が設けられている。張出板部分４４３ｃは、本体ケース４００を構成する右本体ケース４０１におけるＸ方向に隣接する一対のパイプ固定板部４０１ｃ間及び左本体ケース４０３におけるＸ方向に隣接する一対のパイプ固定板部４０３ｃ間に配される。
【００４３】
埃センサユニット４４５は、光透過型センサであり、発光部４４５ａと受光部４４５ｂとの間を横切る塵埃により受光量の変化を検出する。
【００４４】
（２）接続パイプ
図１を用いて説明する。
接続パイプ３は、筒状をし、Ｘ方向に延伸する筒状部３１と、筒状部３１の他端部に位置し且つ掃除機本体４に着脱可能に接続される他端接続部（掃除機本体４に接続されているため図示されていない）と、筒状部３１の一端部に位置し且つ吸込具２に着脱可能に接続される一端側接続部３２とを有する。
【００４５】
（３）吸込具
図１を用いて説明する。
吸込具２は、左右方向に延伸するヘッド部２１の底部に吸込口を有し、その内部に回転ブラシ（図示省略）を収容する。
吸込具２は、ヘッド部２１の左右方向の中央から接続パイプ３側に筒状に延伸する延伸筒部２３を有している。延伸筒部２３の内部とヘッド部２１の底部の吸込口とは連通している。
【００４６】
（４）コードリールの位置
掃除機本体４は、Ｘ方向に沿って、集塵部４３と、電動送風機部４１と、コードリール部４２と、ハンドル部４６とをこの順で備えている。これにより、コードリール４２０や電動送風機４１０等の重量物をハンドル部４６の近くに配することとなり、使用者が受ける掃除機本体４の重量感を和らげることができる。
コードリール４２０は、Ｘ方向の他端側から掃除機本体４を見ると、本体ケース４００の筒状部４００ａの筒軸の延長線上に位置する（筒軸の仮想延長線がコードリールと交差する）ように、設けられている。これにより、左右方向の重量バランスをよくできる。また、掃除機本体４の表裏方向の寸法も小さくできる。
電動送風機４１０は、Ｘ方向の一端側から掃除機本体４を見ると、コードリール４２０の外周縁内に電動送風機４１０の外周縁が完全に含まれるように、設けられている。これにより、掃除機本体４の表裏方向の寸法も小さくできる。
【００４７】
Ｘ方向の他端側から掃除機本体４を見ると、筒状部４００ａの筒軸（電動送風機の回転軸）が、コードリール４２０における回転軸方向の中点を通り且つ回転軸と直交する仮想線上又は仮想線に近い位置に存在する。これにより、コードリール４２０の回転軸方向の重量バランスをよくできる。
Ｘ方向の他端側から掃除機本体４を見ると、コードリール４２０の回転軸が筒状部４００ａの筒軸よりも下方に位置する。これにより、掃除機本体４の表面の凹凸を小さくでき、意匠性を高めることができる。
【００４８】
（５）空気の流れ
電気掃除機１は掃除機本体４の内部にコードリール４２０を有する。このため、使用時にコードリール４２０付近の温度が上昇する傾向にある。コードリール４２０の近くには、回路ユニット４５０も存在する。このため、掃除機本体４は、吸込具２から吸い込んだ空気（塵埃を含む）を利用して、コードリール４２０を冷却すると共に、回路ユニット４５０の温度が上昇し難いようにしている。以下、本体ケース４００内に吸い込まれた空気の流れについて図１３を用いて説明する。なお、図１３において、電動送風機室４１１、コードリール室４２１は、他の引き出し線と区別するために、引き出し線の選択を矢印としている。
（５−１）吸込具から電動送風機室までの流路
吸込具２から吸い込まれた塵埃を含む空気は、接続パイプ３を経由して集塵室４３１へと吸い込まれる。ここで、塵埃は集塵パックに集塵され、塵埃が除去された空気は、集塵室４３１から吸気開口４００ｊを介して電動送風機室４１１へと取り入れられる。
電動送風機室４１１へ取り込まれた空気は、直接コードリール室４２１を通過する第１流路と、コードリール室４２１を通らない第２流路と、本体ケース４００の外部を通りコードリール室４２１を横切る第３流路とに分かれて排出される。
【００４９】
（５−２）第１流路
電動送風機室４１１に取り込まれた空気は、第１内部排気開口４００ｋを介してコードリール室４２１に取り入れられる。そして、コードリール４２０の周辺又は内部を通り、本体ケース４００（右本体ケース４０１）の第４内部排気開口４０１ｑ，４０１ｒ（図８の（ａ）参照）を介して、本体ケース４００の外部へと排出される。
排出された空気は、回路ユニット４５０の裏側や表側を通り、右カバー４０２の外部排気開口４０２ｊを介して掃除機本体４から外部へと排出される。なお、第１流路（本体ケース４００から排出されるまで）を図１３において矢印Ｘで表している。
【００５０】
（５−３）第２流路
電動送風機室４１１に取り込まれた空気は、本体ケース４００（右本体ケース４０１）第２内部排気開口４０１ｐ（図８の（ａ）参照）を介して本体ケース４００と右カバー４０２との間の第２流路室に入る。そして、回路ユニット４５０の裏側（左側）又は表側を通り、右カバー４０２の外部排気開口４０２ｊから、掃除機本体４から外部へと排出される。なお、第２流路を図１３において矢印Ｙで表している。
【００５１】
（５−４）第３流路
電動送風機室４１１に取り込まれた空気は、本体ケース４００（左本体ケース４０３）第３内部排気開口４０３ｐ（図８の（ｂ）参照）を介して本体ケース４００と左カバー４０４との間の第３流路室に入る。
そして、本体ケース４００（左本体ケース４０３）の内部吸気開口４０３ｑを介して、コードリール室４２１に取り入れられる。その後、コードリール４２０の周辺又は内部を通り、本体ケース４００（右本体ケース４０１）の第４内部排気開口４０１ｑ，４０１ｒを介して、本体ケース４００の外部へと排出される。
排出された空気は、回路ユニット４５０の裏側や表側を通り、右カバー４０２の外部排気開口４０２ｊを介して掃除機本体４から外部へと排出される。なお、第３流路を図１３において矢印Ｚで表している。
【００５２】
３．掃除機支持装置関係
主に図１を用いて説明する。
（１）掃除機支持装置
掃除機支持装置６は、上述のように載置台７と支柱８とを備える。
載置台７は、偏平な箱状をし、前面の開口（上面の開口の図示は省略）から後方へと延び且つ補助集塵具９のモップ体９０を挿入できる挿入空間７１を有する。
載置台７の上面には挿入空間７１に連通する貫通孔を左右方向に複数個有している。上面の貫通孔は、載置台７に載置された電気掃除機１の吸込具２の吸込口と対向するように設けられている。
支柱８は電気掃除機１の接続パイプ３を後方から支持する。支柱８は、上部側に補助集塵具９を収容するボックス８５を着脱可能に備える。
できる。
【００５３】
（２）補助集塵具
補助集塵具９は、モップ、埃取り、ブラシ、ほうき、たわし、などの清掃用具である。
補助集塵具９は、図１４の（ａ）に示すように、モップ体９０と柄構造体９１を備える。モップ体９０は、柄構造体９１に着脱可能に装着され、交換可能に構成されている。補助集塵具９は長尺状をし、その一端側をモップ体９０側とする。
柄構造体９１は、図１４の（ｂ）に示すように、モップ体９０が交換可能に装着するモップキャップ９１１と、モップキャップ９１１が一端に装着される内パイプ９１３と、内パイプ９１３を伸縮可能に収容する外パイプ９１５と、内パイプ９１３を外パイプ９１５に対して位置決めする位置決めユニット９３と、内パイプ９１３が外パイプ９１５に対して抜けるのを防止するストッパー９１７と、外パイプ９１５の上端を覆うキャップ９１９とを少なくとも備える。なお、位置決めユニット９３は内パイプ９１３の他端側に設けられている。
【００５４】
（２−１）位置決めユニット
図１５を用いて説明する。
位置決めユニット９３は、内パイプ９１３に共回り状態で取り付けられるアダプタ９３１と、アダプタ９３１と外パイプ９１５との間に配されるストッパー９３３とを有する。
アダプタ９３１は、同図の（ｂ）に示すように、内パイプ９１３の欠け部９１３ａに嵌合する凸部９３１ａと、ストッパー９３３が嵌合する嵌合部９３１ｂと、嵌合部９３１ｂの上下両端から径方向の外方へ張り出す下鍔部９３１ｃ、上鍔部９３１ｄとを備える。
嵌合部９３１ｂの外周面は、同図の（ｃ）に示すように、外周面の半径が等しい円周面９３１ｅと、外周面をその周方向に旋回するにしたがって中心から遠くなる拡径面９３１ｆとを有し、嵌合部９３１ｂは拡径面９３１ｆに隣接してさらに径方向に突出する突出部分９３１ｇを備える。
【００５５】
ストッパー９３３は、同図の（ｂ）に示すように、弾性変形可能なゴム材料により構成され、横断面形状が「Ｃ」字状をしている。「Ｃ」字の両端に位置する部位は厚肉部９３３ａとなっている。ストッパー９３３の外周面は外パイプ９１５の内周面に略当接し、外パイプ９１５が内パイプ９１３に対して回転すると、ストッパー９３３は外パイプ９１５と共に回転する。
ストッパー９３３は、一対の厚肉部９３３ａ間にアダプタ９３１の嵌合部９３１ｂの拡径面９３１ｆが位置するように、アダプタ９３１の嵌合部９３１ｂに嵌合する。これにより、外パイプ９１５が内パイプ９１３に対して回転すると、外パイプ９１５と共にストッパー９３３が回転し、やがてストッパー９３３の厚肉部９３３ａが拡径面９３１ｆに達すると、ストッパー９３３の厚肉部９３３ａが外パイプ９１５の内面を押圧する。これにより、外パイプ９１５が内パイプ９１３に固定される。
この際、外パイプ９１５が回転しても、アダプタ９３１の嵌合部９３１ｂに突出部分９３１ｇが存在するので、厚肉部９３３ａが拡径面９３１ｆを乗り越えるようなことを防止できる。
【００５６】
（２−２）モップ部
図１６を用いて説明する。
モップ体９０は、同図の（ａ）に示すように、モップ装着部９０１と、モップ装着部９０１から他端側に延伸する延伸部９０３と、延伸部９０３の延伸途中に径方向に張り出す鍔部９０４と、延伸部９０３の延伸先端から他端側に延伸する一対の係止片９０５と、延伸部９０３から出没自在に突出する突出部９０７と、延伸部９０３における突出部９０７と反対側に設けられた回転止め部９０８とを有する。
一対の係止片９０５は平行に延伸し、両者の遠近方向（係止片９０５の延伸方向と直交する方向）に弾性変形可能に構成されている。係止片９０５は、後述のモップキャップ９１１の有底筒状部９１１ｂの貫通孔９１１ｃに内側から係合する。これにより、モップ体９０がモップキャップ９１１に取り外し可能に取り付けられる。
突出部９０７は、内パイプ９１３の一端部の貫通孔９１３ｃに内側から嵌合する。これにより、モップ体９０が、モップキャップ９１１に取り付けられた状態で、内パイプ９１３に取り外し可能に取り付けられる。
回転止め部９０８は、延伸部９０３の延伸方向に沿った突条により構成され、モップキャップ９１１の有底筒状部９１１ｂの溝部９１１ｄに嵌合する。
【００５７】
（２−３）モップキャップ
モップキャップ９１１は、図１４の（ｂ）に示すように、一端側が開口する碗状のキャップ部９１１ａと、他端側が塞がれた有底筒状部９１１ｂとを一体で有する。
キャップ部９１１ａの底面の中央には、図１６の（ｂ）に示すように、貫通孔９１１ｆがあり、当該貫通孔からモップ体９０の係止片９０５が挿入される。なお、モップキャップ９１１の貫通孔の周辺部は、モップ体９０の鍔部９０４と当接する。
有底筒状部９１１ｂは、図１６に示すように、モップ体９０の一対の係止片９０５の係止部分９０５ａに対応する貫通孔９１１ｃと、モップ体９０の回転止め部９０８に対応する溝部９１１ｄと、モップ体９０の延伸部９０３の突出部９０７に対応した貫通溝９１１ｅとを有している。
モップキャップ９１１の溝部９１１ｄは、周壁の一部が径方向の外側に突条に膨出することで形成されている。当該突条部分は、内パイプ９１３に対する位置決め部として機能し、内パイプ９１３の一端部の欠け部９１３ｄに嵌合する。
【００５８】
（２−４）内パイプ
内パイプ９１３は円筒状をしている。
内パイプ９１３の他端部には、図１５に示すように、アダプタ９３１の位置決め用の凸部９３１ａが嵌合する欠け部９１３ａと、アダプタ９３１の係止片９３１ｈ用の貫通孔９１３ｂとを有する。
内パイプ９１３の一端部には、図１６に示すように、モップ体９０の突出部９０７用の貫通孔９１３ｃと、モップキャップ９１１の溝部９１１ｄ用の欠け部９１３ｄとを有する。
【００５９】
（２−５）外パイプ
外パイプ９１５は、図１４に示すように、モップ体９０が取り付けられた内パイプ９１３が一端側の端部から挿入され、他端部にキャップ９１９が取り付けられる。
外パイプ９１５の一端部の内側にストッパー９１７が挿入され、固定されている。ストッパー９１７は、内径が位置決めユニット９３を構成するアダプタ９３１の嵌合部９３１ｂの外径よりも小さい円筒体により構成されている。
ストッパー９１７は、外パイプ９１５に固定する固定部（他の固定部と区別するために、外パイプ用固定部とする）９１７ａを有している。外パイプ用固定部９１７ａは図１６の（ｂ）に示すように、外側へと突出し径方向に弾性変形可能な突出片により構成されている。外パイプ用固定部９１７ａは、外パイプ９１５一端部の貫通孔９１５ｂに嵌合する。
ストッパー９１７の外径は、外パイプ９１５の中央部分の内径よりも大きく、外パイプ９１５の端部に形成されている大径部９１５ｃに挿入されると共に、ストッパー９１７の他端側への移動が規制される。
【００６０】
以上、実施形態を説明したが、この実施形態に限られるものではなく、例えば、以下のような変形例であってもよい。また、実施形態と変形例、変形例同士を組み合わせたものであってよい。
また、実施形態や変形例に記載していていない例や、要旨を逸脱しない範囲の設計変更があっても本発明に含まれる。
【００６１】
＜変形例＞
（１）実施形態のコードリール４２０の巻取軸は、Ｙ方向（左右方向）に延伸しているが、他の方向、例えば表裏方向に延伸してもよいし、Ｘ方向に延伸してもよいし、左右方向と交差する方向に延伸してもよいし、表裏方向と交差する方向に延伸してもよいし、Ｘ方向と交差する方向に延伸してもよい。
なお、掃除機本体の空気の流れに着目する場合、コードリールの巻取軸の延伸方向は、第一方向と交差する方向であっても、第一方向と平行な方向であってもよい。
（２）実施形態では、電動送風機４１０は、Ｘ方向の一端側から掃除機本体を見ると、コードリール４２０の外周縁内に電動送風機４１０の外周縁が完全に含まれるように、設けられているが、電動送風機の一部（１５％以内）が、コードリールの外周縁内から張り出してもよい。
（３）実施形態では、電動送風機室４１１内に取り入れた空気を３つの流路で排出しているが、回路ユニットを冷却する必要がない場合、回路ユニットがコードリールの周辺にない場合等は、第２流路を形成しなくてもよい。また、例えば、コードリール室の空気量が十分である場合は、第３流路を形成しなくてもよい。
【００６２】
（４）実施形態では、回路ユニット４５０を右本体ケース４０１と右カバー４０２との間に備えているが、例えば、本体ケースの表側を表カバーで覆うようにして、表カバーと本体ケースとの間に回路ユニットを収容するようにしてもよい。この場合、本体ケースの表側部分に第２内部排気開口を設けて表カバーに外部排気開口を設けてもよいし、本体ケースの表側部分に第２内部排気開口を設けて右カバーの外部排気開口から排出するようにしてもよい。
（５）実施形態では、電動送風機室４１１内に取り入れた空気の一部をコードリール４２０の巻取軸に沿って流動させているが、巻取軸と交差する方向、例えば、表裏方向に流動させるようにしてもよい。
【００６３】
（６）実施形態では、本体ケース４００を左右方向に分割した右本体ケース４０１と左本体ケース４０３とで構成しているが、例えば、表裏方向に分割した表本体ケースと裏本体ケースとで構成してもよいし、例えば３個以上のケースから本体ケースを構成するようにしてもよい。
（７）実施形態では、発光ユニット４６０は左カバー４０４側に設けられているが、使用者が認識できる部位にあればよく、例えば、右カバー側でもよいし、本体ケースの表側でもよい。
【００６４】
（８）実施形態では、右カバー４０２は、右本体ケース４０１の半筒状部４０１ａの他端側と半盤状部４０１ｂとに跨る状態、つまり、半筒状部４０１ａの他端側と半盤状部４０１ｂとをコードリール４２０の回転軸の延伸する方向の外側から覆う状態で固定されているが、少なくとも半筒状部４０１ａの第２内部排気開口４０１ｐとコードリール室４２１とを覆えばよい。なお、右カバーを、第２内部排気開口を覆う第１右カバーと、コードリール室を覆う第２右カバーとの複数部材から構成してもよい。
（９）実施形態では、左カバー４０４は、左本体ケース４０３の半筒状部４０３ａの他端側と半盤状部４０３ｂとに跨る状態、つまり、半筒状部４０３ａの他端側と半盤状部４０３ｂとをコードリール４２０の回転軸の延伸する方向の外側から覆う状態で固定されているが、少なくとも半筒状部４０３ａの第３内部排気開口４０３ｐとコードリール室４２１とを覆えばよい。なお、左カバーを、第３内部排気開口を覆う第１左カバーと、コードリール室を覆う第２左カバーとの複数部材から構成してもよい。
【符号の説明】
【００６５】
Ａ    電気掃除機ユニット
１    電気掃除機
２    吸込具
３    接続パイプ
４    掃除機本体
６    掃除機支持装置
４０    筐体
４１    電動送風機部
４２    コードリール部
４３    集塵部
４５    回路ユニット部
４００    本体ケース
４１０    電動送風機
４１１    電動送風機室
４２０    コードリール
４２１    コードリール室
【図１】
2020081496.tif 000003
【図２】
2020081496.tif 000004
【図３】
2020081496.tif 000005
【図４】
2020081496.tif 000006
【図５】
2020081496.tif 000007
【図６】
2020081496.tif 000008
【図７】
2020081496.tif 000009
【図８】
2020081496.tif 000010
【図９】
2020081496.tif 000011
【図１０】
2020081496.tif 000012
【図１１】
2020081496.tif 000013
【図１２】
2020081496.tif 000014
【図１３】
2020081496.tif 000015
【図１４】
2020081496.tif 000016
【図１５】
2020081496.tif 000017
【図１６】
2020081496.tif 000018